(57)【要約】【課題】使用後に流量調整弁が止水状態とされ、次に使用する使用者が吐水操作を行っても吐水が行われないという不具合を回避することができ、使用者の使い勝手のよい水栓装置を提供する。【解決手段】吐水される湯水の流量を調整可能な水栓装置(4)であって、吐水口(22)に湯水を導く給水流路と、給水流路に設けられた吐止水弁(30a,30b)と、吐止水弁を開弁及び閉弁させる吐止水操作手段(16)と、吐止水弁の上流側又は下流側の給水流路に設けられ、通過する湯水の流量を調整すると共に、流量を止水状態まで絞ることが可能な流量調整弁(24)と、流量調整弁が流量調整状態となる流量調整エリアと、止水状態となる止水エリアの間で移動又は回動可能な流調操作部(20)と、流調操作部が流量調整エリアから止水エリアに移動又は回動される際に、その移動又は回動を一時停止させるように移動規制する操作規制機構(40)と、を備える。【選択図】図４
2018111997.tif 000002
【特許請求の範囲】
【請求項１】
吐水される湯水の流量を調整可能な水栓装置であって、
供給された湯水を吐出させる吐水口が設けられた水栓装置本体と、
上記吐水口に湯水を導く給水流路と、
この給水流路に設けられた吐止水弁と、
この吐止水弁を開弁及び閉弁させるための吐止水操作手段と、
上記吐止水弁の上流側又は下流側の給水流路に設けられ、通過する湯水の流量を調整すると共に、流量を止水状態まで絞ることが可能な流量調整弁と、
使用者の操作に基づいて、上記流量調整弁が流量調整状態となる流量調整エリアと、上記流量調整弁が止水状態となる止水エリアの間で移動又は回動可能な流調操作部と、
この流調操作部が上記流量調整エリアから上記止水エリアに移動又は回動される際に、その移動又は回動を一時停止させるように移動規制する操作規制機構と、
を備えることを特徴とする水栓装置。
【請求項２】
上記操作規制機構は、上記流調操作部により流量調整を行う際の通常の操作とは異なる操作により上記移動規制が解除されるように構成され、上記移動規制の解除により上記流調操作部が上記止水エリアに移動又は回動可能となる請求項１記載の水栓装置。
【請求項３】
上記操作規制機構は、上記移動規制を解除する解除操作部を有し、この解除操作部を操作することで上記移動規制が解除されるように構成されている請求項２記載の水栓装置。
【請求項４】
上記操作規制機構は、上記流調操作部が上記止水エリアから上記流量調整エリアに移動又は回動される際には、その移動又は回動を規制しないように構成されている請求項３記載の水栓装置。
【請求項５】
上記流調操作部は、使用者に回動操作されるレバーハンドルであり、
上記解除操作部は、上記レバーハンドルの裏面に設けられている請求項４記載の水栓装置。
【請求項６】
さらに、上記流調操作部が上記止水エリアにあることを使用者に認知させる認知手段を有し、この認知手段は上記解除操作部に設けられている請求項３記載の水栓装置。
【発明の詳細な説明】
【技術分野】
【０００１】
本発明は、水栓装置に関し、特に、吐水される湯水の流量を調整可能な水栓装置に関する。
【背景技術】
【０００２】
現在、特開２００６−１４４３２９号公報（特許文献１）に記載されているような、吐水される湯水の流量を調整可能な水栓装置が広く普及している。特許文献１に記載されている自動水栓（水栓装置）では、供給された湯及び水が、夫々電磁弁を介して混合弁に送られ、この混合弁において湯及び水の混合比が調整されると共に、吐水口から吐出される湯水の流量が設定される。
【０００３】
このような水栓装置では、事前に混合弁の流調操作部を操作して吐水口から吐水される水の流量を設定しておけば、使用者は使用時に吐水口付近に手指をかざすだけで、予め設定した流量で吐水を行うことができ、使用者の使い勝手がよい。また、混合弁（流量調整弁）を止水状態に切り替えることで、清掃時などに誤って吐水口から吐水が行われず、使用者の使い勝手がよい。また、電磁弁（吐止水弁）が破損した際などに吐水口からの吐水を緊急停止することができる。
【先行技術文献】
【特許文献】
【０００４】
【特許文献１】特開２００６−１４４３２９号公報
【発明の概要】
【発明が解決しようとする課題】
【０００５】
しかしながら、特許文献１のような水栓装置は、例えば、使用者が水栓装置の操作方法を知らない場合、その使用後に、流量調整と吐止水を一つの弁で行う従来の所謂「シングルレバー水栓」を操作するように流調操作部を回動操作し、流量調整弁を止水状態にしてしまうと、次の使用時に吐水を行おうとして吐水操作（吐水口付近に手指をかざす等）をしても吐水が為されないという不都合が生じ、使用者の使い勝手が悪かった。
【０００６】
また、清掃等の際に流量調整弁を止水状態で使用した後に、流調操作部を止水される位置から所定量の吐水が為される位置に戻すことを使用者が忘れてしまった場合にも、流量調整弁が止水状態のままになり、次の使用時に吐水を行おうとして吐水操作をしても吐水が為されないという不都合が生じ、使用者の使い勝手が悪かった。
【０００７】
そこで、本発明は、上述した従来技術の問題を解決するためになされたものであり、使用後に流量調整弁が止水状態とされ、次に使用する使用者が吐水操作を行っても吐水が行われないという不具合を回避することができ、使用者の使い勝手のよい水栓装置を提供することを目的としている。
【課題を解決するための手段】
【０００８】
上述した目的を達成するために、本発明は、吐水される湯水の流量を調整可能な水栓装置であって、供給された湯水を吐出させる吐水口が設けられた水栓装置本体と、吐水口に湯水を導く給水流路と、この給水流路に設けられた吐止水弁と、この吐止水弁を開弁及び閉弁させるための吐止水操作手段と、吐止水弁の上流側又は下流側の給水流路に設けられ、通過する湯水の流量を調整すると共に、流量を止水状態まで絞ることが可能な流量調整弁と、使用者の操作に基づいて、流量調整弁が流量調整状態となる流量調整エリアと、流量調整弁が止水状態となる止水エリアの間で移動又は回動可能な流調操作部と、この流調操作部が流量調整エリアから止水エリアに移動又は回動される際に、その移動又は回動を一時停止させるように移動規制する操作規制機構と、を備えることを特徴としている。
【０００９】
このように構成された本発明においては、使用者の操作に基づいて、流量調整弁が流量調整状態となる流量調整エリアから流量調整弁が止水状態となる止水エリアに移動又は回動可能な流調操作部と、この流調操作部が流量調整エリアから止水エリアに移動又は回動される際に、それを一時停止させる操作規制機構を備えている。このため、使用者が水栓装置の操作方法を知らない場合に、流調操作部を誤って止水エリアに移動させてしまい、次の使用時に吐水を行おうとして吐止水操作手段を操作しても吐水が為されないという不都合を解消することができる。
【００１０】
また、流調操作部は、流量調整エリアから止水エリアに移動する際に、使用者による操作が一時停止するように移動規制されるため、使い方を認識している使用者には、流量調整弁を止水状態まで絞ったことを意識させることができる。このため、流量調整弁を止水状態で使用した後に、流調操作部を止水エリアから流量調整エリアに戻すのを忘れないようにさせることができる。
【００１１】
これにより、使用後に流量調整弁が止水状態とされ、次に使用する使用者が吐止水操作手段を操作しても吐水が行われないという不具合を回避することができ、使用者の使い勝手を向上させることができる。
【００１２】
本発明において、好ましくは、操作規制機構は、流調操作部により流量調整を行う際の通常の操作とは異なる操作により移動規制が解除されるように構成され、移動規制の解除により流調操作部が上記止水エリアに移動可能となる。
【００１３】
このように構成された本発明においては、操作規制機構は、流調操作部により流量調整を行う際の通常の操作とは異なる操作により移動規制が解除されるように構成され、移動規制の解除により流調操作部が止水エリアに移動可能となる。このため、流調操作部により流量調整を行う際の通常の操作とは異なる操作で移動規制を解除しようと考えている使用者しか移動規制を解除して流調操作部を止水エリアに移動させることができない。したがって、使用者が水栓装置の操作方法を知らない場合に、移動規制を誤って解除して流調操作部を止水エリアに移動させてしまうことを抑制することができる。
【００１４】
本発明において、好ましくは、操作規制機構は、移動規制を解除する解除操作部を有し、この解除操作部を操作することで移動規制が解除されるように構成されている。
このように構成された本発明においては、操作規制機構は、移動規制を解除する解除操作部を有し、この解除操作部を操作することで移動規制が解除されるように構成されているので、使用者が水栓装置の操作方法を認識しており、且つ、移動規制を解除する意図のある場合にのみが流調操作部を止水エリアに移動させることができ、使用者が水栓装置の操作方法を知らない場合に、移動規制を誤って解除して流調操作部を止水エリアに移動させてしまうことをさらに抑制することができる。
【００１５】
また、流調操作部は、流量調整エリアから止水エリアに移動する際に、使用者による解除操作部の操作で移動規制が解除されるため、使い方を認識している使用者には、流量調整弁を止水状態まで絞ったことを意識させることができる。このため、流量調整弁を止水状態で使用した後に、流調操作部を止水エリアから流量調整エリアに戻すのを忘れないようにさせることができる。
【００１６】
本発明において、好ましくは、操作規制機構は、流調操作部が止水エリアから流量調整エリアに移動又は回動される際には、その移動又は回動を規制しないように構成されている。
【００１７】
このように構成された本発明においては、操作規制機構は、流調操作部が止水エリアから流量調整エリアに移動又は回動される際には、その移動又は回動を規制しないように構成されているので、使用者は、流調操作部を止水エリアから流量調整エリアへ戻す際には、その移動又は回動を通常の操作でスムーズに行うことができ、使い勝手がよい。また、流調操作部が一時停止することによる負荷を減らすことができるため、流調操作部の耐久性を向上させることができる。
【００１８】
本発明において、好ましくは、流調操作部は、使用者に回動操作されるレバーハンドルであり、解除操作部は、レバーハンドルの裏面に設けられている。
このように構成された本発明においては、流調操作部は、使用者に回動操作されるレバーハンドルであり、解除操作部は、レバーハンドルの裏面に設けられているので、解除操作部は、使用者から視認しにくく、使用者が水栓装置の操作方法を知らない場合に、移動規制を誤って解除して流調操作部を止水エリアに移動させてしまうことを抑制することができる。
【００１９】
また、流調操作部に解除操作部が設けられているので、流調操作部を止水エリアに移動させたい使用者にとって、移動規制の解除をして流調操作部を止水エリアに移動させやすく、使い勝手がよい。
【００２０】
本発明において、好ましくは、さらに、流調操作部が止水エリアにあることを使用者に認知させる認知手段を有し、この認知手段は解除操作部に設けられている。
このように構成された本発明においては、流調操作部が止水エリアにあることを使用者に認知させる認知手段を有し、この認知手段は解除操作部に設けられているので、使用者は、流調操作部が止水エリアにあることを容易に認識することができる。また、認知手段を別体に設けず、解除操作部と兼用することができ、簡単な構成にすることができる。
【発明の効果】
【００２１】
本発明の水栓装置によれば、使用後に流量調整弁が止水状態とされ、次に使用する使用者が吐止水操作手段を操作しても吐水が行われないという不具合を回避することができ、使用者の使い勝手のよい水栓装置を提供することができる。
【図面の簡単な説明】
【００２２】
【図１】本発明の第１実施形態による水栓装置を備えた洗面化粧台全体の外観を示す斜視図である。
【図２】本発明の第１実施形態の水栓装置を拡大して示す斜視図である。
【図３】本発明の第１実施形態による水栓装置における吐水系統を示すブロック図である。
【図４】本発明の第１実施形態の水栓装置に備えられた流調・温調バルブに接続された操作ハンドルの側面図である。
【図５】本発明の第１実施形態の水栓装置に備えられた流調・温調バルブに接続された操作ハンドルの正面図である。
【図６】本発明の第２実施形態の水栓装置に備えられた操作ハンドルの側面図である。
【発明を実施するための形態】
【００２３】
以下、添付図面を参照して、本発明の第１実施形態による水栓装置について説明する。
まず、図１乃至図３により、本発明の第１実施形態による水栓装置を備えた洗面化粧台について説明する。
【００２４】
図１に示すように、洗面化粧台１は、ボウル２と、このボウル２の上方に配置された本発明の第１実施形態による水栓装置４と、ボウル２の下方に設けられ、ボウル２を支持する下部キャビネット６と、水栓装置４の上方に配置された上部キャビネット８と、を有する。
【００２５】
ボウル２は、水栓装置４の吐水口２２から吐出された湯水を受けるように配置された概ね矩形のボウルであり、その底面に排水口（図示せず）が設けられている。
【００２６】
水栓装置４は、ボウル２から立ち上がった壁面１０に取り付けられており、その下面からボウル２へ向けて湯水を吐出する吐水口２２が形成されている。水栓装置４の詳細な機能、構造については後述する。
【００２７】
下部キャビネット６は、ボウル２の下方に配置され、ボウル２を支持するキャビネットであり、２段の引き出しが設けられている。また、下部キャビネット６の内部には、水道水の吐水、停止を切り換える電磁弁等の機器が収納されている。下部キャビネット６に収納されている機器の詳細については後述する。
上部キャビネット８は、水栓装置４よりも上方の壁面１０に設けられた薄型のキャビネットであり、その前面には、鏡が取り付けられている。
【００２８】
次に、図２及び図３を参照して、洗面化粧台１に備えられている水栓装置４の基本構造を説明する。
図２に示すように、水栓装置４には、棚部１２と、吐水部１４と、人体検知センサ１６と、操作ハンドル２０と、が備えられている。
【００２９】
棚部１２は、壁面１０から前方に突出した直方体状に形成され、その上面が平面状に形成されており、小物を置くことができる。そのため、例えば、洗顔の際などに、使用者が眼鏡や化粧品等の小物を置く、いわゆる「ちょい置き動作」を、棚部１２の上面を使って行うことができ、使用者の使い勝手がよい。
【００３０】
吐水部１４は、棚部１２の下面に配置されている。この吐水部１４は、水栓装置本体であり、洗面、手洗い等に使用する湯水をボウル２に向けて吐出する吐水口２２が形成されている。
【００３１】
人体検知センサ１６は、棚部１２の前端部下面に設けられており、手指等の被検知物の、吐水部１４への接近を検知するように構成され、吐水部１４は、吐水口２２の下方にある被検知物の有無に基づいた自動吐水を行うことができる。本第１実施形態においては、人体検知センサ１６は、赤外線式のセンサであり、吐水部１４に接近した手指等により反射された赤外線を検出して、手指等の接近を検知するように構成されている。接近センサとしては、赤外線式の他、マイクロ波式等、任意の非接触タイプのセンサを使用することができる。本第１実施形態においては、人体検知センサ１６が吐止水操作手段として機能する。
【００３２】
操作ハンドル２０は、棚部１２の下面から下方に向けて突出しているレバーハンドルである。操作ハンドル２０は、棚部１２に内蔵された流調・温調バルブ２４に連結されている。操作ハンドル２０は、流調操作部であり、前後方向に回動操作することにより吐水部１４から吐出される湯水の流量が調整できると共に、流量を止水まで絞ることができる。
また、操作ハンドル２０は、左右方向に回動操作することにより湯水の温度を調整することができる。
なお、操作ハンドル２０は、流量を止水まで絞る際に操作ハンドル２０の回動が移動規制されるようになっている。操作ハンドル２０の詳細構造については、後述する。
【００３３】
次に、図３を参照して、本発明の第１実施形態による洗面化粧台１における給水流路を説明する。
図３に示すように、給水源（図示せず）から吐水部１４の吐水口２２までの給水流路には、給水管２６ａ、給湯管２６ｂ、止水栓２８ａ、止水栓２８ｂ、水用電磁弁３０ａ、湯用電磁弁３０ｂ、流調・温調バルブ２４が設けられている。
【００３４】
具体的には、給水流路の給水系統には、上流側から順に、給水源から水道水を供給する給水管２６ａと、水道水を遮断するための止水栓２８ａと、水道水の、吐水部１４からの吐出、停止を切り換える水用電磁弁３０ａと、が設けられている。同様に、給水流路の給湯系統には、上流側から順に、給水源である湯沸かし器（図示せず）等からの湯を供給する給湯管２６ｂと、湯を遮断するための止水栓２８ｂと、湯の、吐水部１４からの吐出、停止を切り換える湯用電磁弁３０ｂと、が設けられている。なお、本第１実施形態において、水用電磁弁３０ａ及び湯用電磁弁３０ｂが吐止水弁として機能する。
【００３５】
これらの給水系統及び給湯系統を通って夫々供給された水及び湯は、流調・温調バルブ２４を通過し、吐水部１４の吐水口２２から吐出される。
したがって、本第１実施形態においては、給水流路に設けられた水用電磁弁３０ａ又は湯用電磁弁３０ｂと、流調・温調バルブ２４とを通って、湯水が給水源から吐水口２２へ通水される。
【００３６】
上記のように、流調・温調バルブ２４は、操作ハンドル２０に連結された所謂「シングルレバー水栓」である。この流調・温調バルブ２４は、操作ハンドル２０の操作により、給水系統及び給湯系統を通って供給された湯及び水を所定の割合で混合させることができる。また、流調・温調バルブ２４は、流量調整弁であり、操作ハンドル２０の操作により、混合された湯水の流量を調整することができると共に、流量を止水状態まで絞ることができる。これによって、流調・温調バルブ２４が止水状態まで絞られていると、水用電磁弁３０ａ又は湯用電磁弁３０ｂが開弁していても、水道水が吐水口２２から吐出されない。
【００３７】
水用電磁弁３０ａ及び湯用電磁弁３０ｂは、コントローラー３２によって、開弁、閉弁が制御されるように構成されている。また、コントローラー３２には人体検知センサ１６が接続され、人体検知センサ１６が検知した被検知物の有無に基づいて、水用電磁弁３０ａ及び湯用電磁弁３０ｂが開閉制御される。
【００３８】
なお、本第１実施形態においては、コントローラー３２は、マイクロプロセッサ、メモリ、インターフェイス回路、電磁弁の駆動回路、及びこれらを作動させるソフトウェア等（以上、図示せず）により構成されている。また、コントローラー３２は、ＡＣ電源（図示せず）から供給される電力により作動される。
【００３９】
次に、図４及び図５を新たに参照して、本発明の第１実施形態の操作ハンドル２０による流調・温調バルブ２４の流調・温調の詳細について説明する。
図４は、本発明の第１実施形態における流調・温調バルブに接続された操作ハンドルの側面図である。図５は、本発明の第１実施形態における流調・温調バルブに接続された操作ハンドルの正面図である。
【００４０】
図４及び図５に示すように、流調・温調バルブ２４は、バルブケース３４と、バルブレバー３６とを有する。また、バルブレバー３６には操作ハンドル２０が取り付けられている。
バルブケース３４は概ね円筒状のケースであり、このバルブケースの内部には、固定弁体（図示せず）と、この固定弁体の上を摺動する可動弁体（図示せず）とが配置されている。流調・温調バルブ２４は、可動弁体を固定弁体に対して摺動させることにより、供給された湯及び水の混合比、及び流出させる湯水の流量を調整することができる、所謂シングルレバーバルブである。
【００４１】
バルブレバー３６は、バルブケース３４から前方へ突出するように配置された棒状部材であり、バルブレバー３６を回動させることにより内蔵された可動弁体（図示せず）を摺動させることができる。また、バルブレバー３６は、操作ハンドル２０と接続されており、操作ハンドル２０の動きに連動して可動弁体を摺動させ、流出する湯水の温度及び流量を調整することができる。
【００４２】
操作ハンドル２０は、下方に屈曲した逆Ｌ字状の部材であり、短辺部と、短辺部の先端から下方に延びるように形成された板状の長辺部とから構成される。短辺部の後端には流調・温調バルブ２４のバルブレバー３６が接続されている。
【００４３】
図４に示すように、操作ハンドル２０は、使用者の操作により、図４の紙面に垂直な方向に延びる操作軸線Ａ１を中心に上下方向に回動可能であり、この操作により吐出される湯水の流量を調整することができる。即ち、操作ハンドル２０が図４に示す位置にある状態では、吐出される湯水の流量は最少であり、この位置から操作ハンドル２０を前方に回動させる（操作ハンドル２０の先端を上方に上げる）ことにより流量が増加し、流量調整を行うことができる。また、図４に示す状態から、操作ハンドル２０を僅かに後方に回動させる（操作ハンドル２０の先端を下方に下げる）と止水される。このように、操作ハンドル２０は、図４に示す位置よりも上方の流量調整エリアＲ２、及び図４に示す位置よりも下方の止水エリアＲ１の間で回動することができる。
【００４４】
具体的には、操作ハンドル２０は、図４に示す位置から上方に向かって最大で１３度まで、下方に向かって最大１０度まで回動可能となっている。このように、図４に示す位置から下方に１０度の範囲が止水エリアＲ１であり、このエリアでは流調・温調バルブ２４が止水状態となる。また、図４に示す位置から上方に１３度までの範囲内が流量調整エリアＲ２であり、流調・温調バルブ２４が流量調整状態となり、図４に示す位置から上方に向かっての回動角度が大きい程、吐出される湯水の流量を大きく設定できる。
【００４５】
一方、図５に示すように、操作ハンドル２０は、図５の紙面に垂直な方向の操作軸線Ａ２を中心に左右方向に所定の範囲内で回動操作可能となっており、この回動角度に応じて吐水口２２から吐水される湯水の温度を調節することができる。
【００４６】
具体的には、操作ハンドル２０は、操作軸線Ａ２を中心に左右方向に１００度の範囲で回動させることができ、右方向へ回動させることにより吐水口２２から吐出される湯水の温度が低温になり、左方向へ回動させることにより吐水口２２から吐出される湯水の温度が高温になる。
【００４７】
次に、図４を参照して、操作ハンドル２０の回動の移動規制を説明する。この操作ハンドル２０の移動規制は、操作ハンドル２０に設けられた操作規制機構４０により実現される。
図４に示すように、操作規制機構４０は、操作ハンドル２０の短辺部の下面に配置されている。また、操作規制機構４０は、操作ハンドル２０の長辺部によって、前方に位置する使用者から見えない。この操作規制機構４０は、基部４２と、押圧部４４と、ストッパー４６から構成される。
【００４８】
基部４２は、操作ハンドル２０の短辺部の下面から下方に突出した円柱状の部材である。
押圧部４４は、基部４２の周方向及び下方を覆う筒状部材である。この基部４２と押圧部４４との間には、押圧部４４を基部４２の軸方向に付勢するバネ（図示せず）が設けられており、押圧部４４は、使用者からの押圧により基部４２の軸方向に移動し、使用者からの押圧がなくなるとバネの付勢で元の位置に戻る。
【００４９】
ストッパー４６は、押圧部４４の外周面から後方に向けて突出して形成された突起である。このストッパー４６は、使用者が押圧部４４を押圧すると、押圧部４４と共に基部４２の軸方向に移動する。
【００５０】
一方、バルブケース３４にはストッパー受け３８が設けられている。このストッパー受け３８は、バルブケース３４の前端面に取り付けられる凹状のリング状部分３８ａと、このリング状部分３８ａから操作規制機構４０に向けて延びる突起部３８ｂから構成されている。また、このストッパー受け３８は、操作ハンドル２０の左右方向の回動に合わせて回動するようになっている。このため、ストッパー受け３８の突起部３８ｂは、常に操作規制機構４０のストッパー４６と対向する位置にある。
【００５１】
このため、吐出流量を低下させるために操作ハンドル２０を後方に回動させる（操作ハンドル２０の先端を下方に下げる）と、図４に示す一時停止位置で、操作規制機構４０のストッパー４６とストッパー受け３８の突起部３８ｂが当接し、それ以上操作ハンドル２０を下方に回動させることができなくなる。即ち、流量調整エリアＲ２と止水エリアＲ１の境界となる一時停止位置（図４に示す位置）に操作ハンドル２０があるとき、ストッパー４６と突起部３８ｂの先端が当接するようになっている。その結果、操作ハンドル２０が流量調整エリアＲ２から止水エリアＲ１に回動する際に、一時停止位置において、操作ハンドル２０はその回動が一時停止されるように移動規制される。
【００５２】
操作ハンドル２０を流量調整エリアＲ２から止水エリアＲ１に回動させる際は、操作規制機構４０の押圧部４４を押圧しながら、操作ハンドル２０を後方へ回動させる。押圧部４４が押圧されて基部４２の軸方向にスライドすると、ストッパー４６も押圧部４４と共に基部４２の軸方向にスライドするため、ストッパー４６はストッパー受け３８の突起部３８ｂと当接しなくなる。その結果、操作ハンドル２０を、図４に示す一時停止位置を越え、図４に想像線で示すように止水エリアＲ１まで回動させることが可能になる。本第１実施形態において、押圧部４４は解除操作部として機能する。
【００５３】
このように、操作ハンドル２０は、流量調整を行う通常の操作とは異なる操作（押圧部４４を押圧する操作）を行わなければ、止水エリアＲ１に回動させることができない。これにより、使用者が水栓装置の操作方法を知らない場合に、流調操作部を誤って止水エリアＲ１に移動させてしまうことを抑制することができる。
【００５４】
操作ハンドル２０が止水エリアＲ１内にある状態では、ストッパー４６は突起部３８ｂの上面と係合しており、押圧部４４は基部４２の軸方向に押し込まれたままとなっている。操作ハンドル２０を止水エリアＲ１から流量調整エリアＲ２に移動させると、ストッパー４６と突起部３８ｂの係合が自動的に外れ、押圧部４４はバネ（図示せず）の付勢力により元の位置に戻る。この結果、止水エリアＲ１から流量調整エリアＲ２に移動させる際には、操作ハンドル２０は、図４に示す一時停止位置において一時停止されることなく、流量調整エリアＲ２にスムーズに回動することができる。つまり、操作ハンドル２０を止水エリアＲ１から流量調整エリアＲ２に戻す際には、使用者は、その回動を通常の操作でスムーズに行うことができ、使い勝手がよい。
【００５５】
また、一時停止位置を越えて流量調整エリアＲ２内に操作ハンドル２０が回動すると、押圧部４４はバネにより元の位置に戻るので、それに合わせてストッパー４６も元の位置に戻る。このため、次に使用者が操作ハンドル２０を流量調整エリアＲ２から止水エリアＲ１に回動させる際には、ストッパー４６と突起部３８ｂの先端が当接し、一時停止位置において操作ハンドル２０の回動が移動規制される。
【００５６】
つぎに、上述した本発明の第１実施形態による水栓装置４における作用について説明する。
まず、本発明の第１実施形態による水栓装置４によれば、使用者の操作に基づいて、流調・温調バルブ２４が流量調整状態となる流量調整エリアＲ２から流調・温調バルブ２４が止水状態となる止水エリアＲ１に回動可能な操作ハンドル２０と、この操作ハンドル２０が流量調整エリアＲ２から止水エリアＲ１に回動される際に、それを一時停止させる操作規制機構４０を備えている。このため、使用者が水栓装置４の操作方法を知らない場合に、操作ハンドル２０を誤って止水エリアＲ１に移動させてしまい、次の使用時に吐水を行おうとして人体検知センサ１６に使用者の手指等を検知させても吐水が為されないという不都合を解消することができる。
【００５７】
また、操作ハンドル２０は、流量調整エリアＲ２から止水エリアＲ１に移動する際に、使用者による操作が一時停止するように移動規制されるため、使い方を認識している使用者には、流調・温調バルブ２４を止水状態まで絞ったことを意識させることができる。このため、流調・温調バルブ２４を止水状態で使用した後に、操作ハンドル２０を止水エリアＲ１から流量調整エリアＲ２に戻すのを忘れないようにさせることができる。
【００５８】
これにより、使用後に流調・温調バルブ２４が止水状態とされ、次に使用する使用者が人体検知センサ１６に使用者の手指等を検知させても吐水が行われないという不具合を回避することができ、使用者の使い勝手を向上させることができる。
【００５９】
また、本発明の第１実施形態による水栓装置４によれば、操作規制機構４０は、操作ハンドル２０により流量調整を行う際の通常の操作とは異なる操作により移動規制が解除されるように構成され、移動規制の解除により操作ハンドル２０が止水エリアＲ１に移動可能となる。このため、操作ハンドル２０により流量調整を行う際の通常の操作とは異なる操作で移動規制を解除しようと考えている使用者しか移動規制を解除して操作ハンドル２０を止水エリアＲ１に移動させることができない。したがって、使用者が水栓装置４の操作方法を知らない場合に、移動規制を誤って解除して操作ハンドル２０を止水エリアＲ１に移動させてしまうことを抑制することができる。
【００６０】
また、本発明の第１実施形態による水栓装置４によれば、操作規制機構４０は、移動規制を解除する押圧部４４を有し、この押圧部４４を操作することで移動規制が解除されるように構成されているので、使用者が水栓装置４の操作方法を認識しており、且つ、移動規制を解除する意図のある場合にのみが操作ハンドル２０を止水エリアＲ１に移動させることができ、使用者が水栓装置４の操作方法を知らない場合に、移動規制を誤って解除して操作ハンドル２０を止水エリアＲ１に移動させてしまうことをさらに抑制することができる。
【００６１】
また、操作ハンドル２０は、流量調整エリアＲ２から止水エリアＲ１に移動する際に、使用者による押圧部４４の操作で移動規制が解除されるため、使い方を認識している使用者には、流調・温調バルブ２４を止水状態まで絞ったことを意識させることができる。このため、流調・温調バルブ２４を止水状態で使用した後に、操作ハンドル２０を止水エリアＲ１から流量調整エリアＲ２に戻すのを忘れないようにさせることができる。
【００６２】
また、本発明の第１実施形態による水栓装置４によれば、操作規制機構４０は、操作ハンドル２０が止水エリアＲ１から流量調整エリアＲ２に回動される際には、その回動を規制しないように構成されているので、使用者は、操作ハンドル２０を止水エリアＲ１から流量調整エリアＲ２へ戻す際には、その回動を通常の操作でスムーズに行うことができ、使い勝手がよい。
また、操作ハンドル２０が一時停止することによる負荷を減らすことができるため、操作ハンドル２０の耐久性を向上させることができる。
【００６３】
また、本発明の第１実施形態による水栓装置４によれば、操作ハンドル２０は、使用者に回動操作されるレバーハンドルであり、押圧部４４は、レバーハンドルの裏面に設けられているので、押圧部４４は、使用者から視認しにくく、使用者が水栓装置４の操作方法を知らない場合に、移動規制を誤って解除して操作ハンドル２０を止水エリアＲ１に移動させてしまうことを抑制することができる。
【００６４】
また、操作ハンドル２０に押圧部４４が設けられているので、操作ハンドル２０を止水エリアＲ１に移動させたい使用者にとって、移動規制の解除をして操作ハンドル２０を止水エリアＲ１に移動させやすく、使い勝手がよい。
【００６５】
次に、図６により、本発明の第２実施形態を説明する。図６は、本発明の第２実施形態における操作ハンドルの側面図である。この第２実施形態において、上述した第１実施形態と同一部分には同一符号を付し、それらの説明は省略する。
【００６６】
図６に示すように、本発明の第２実施形態による水栓装置には、操作ハンドル５０が備えられており、操作ハンドル５０には、その移動を規制する操作規制機構５２と、解除操作部である操作ボタン５６が設けられている。
【００６７】
操作規制機構５２は、操作ハンドル５０の短辺部の下面に配置されている。この操作規制機構５２は、基部５３と、移動部材５４と、ストッパー４６から構成される。移動部材５４は、基部５３の周方向を覆う筒状部材である。この基部５３と移動部材５４との間には、移動部材５４を基部５３の軸方向に付勢するバネ（図示せず）が設けられている。ストッパー４６は、移動部材５４から後方に向けて突出して形成された突起である。このストッパー４６は、流量調整エリアＲ２と止水エリアＲ１の境界である、図６に示す一時停止位置に操作ハンドル５０が位置する際に、ストッパー受け３８の突起部３８ｂと当接し、操作ハンドル５０の回動を規制するようになっている。
【００６８】
操作ボタン５６は、円柱状のボタンであり、操作ハンドル５０の前面に配置されている。この操作ボタン５６は、その前面が棚部１２に覆われておらず、使用者から常時見える位置にある。操作ボタン５６は、一旦押圧されると、図６に実線で示す位置から、想像線で示す位置に突出するように構成されている。また、操作ボタン５６は操作ハンドル５０の内部でリンク機構（図示せず）により移動部材５４と連結されている。これにより、操作ボタン５６が操作され、図６に想像線で示す位置に突出されると、それに連動して移動部材５４がスライドし、ストッパー４６も図６に想像線で示す位置へスライドする。これにより、ストッパー４６は、ストッパー受け３８の突起部３８ｂと当接しない位置へ移動し、操作ハンドル５０は止水エリアＲ１へ回動可能な状態となる。即ち、操作ハンドル５０の移動規制が解除される。
【００６９】
また、操作ボタン５６は、その外周面の後端が赤色で着色された着色面５６ａになっている。図６に実線で示す操作ボタン５６が押し込まれた状態（この状態では止水エリアＲ１へ回動が規制されている）では、この着色面５６ａは操作ハンドル５０の中に引っ込み、見えなくなっている。また、操作ボタン５６が操作され、図６に想像線で示す位置に突出した状態（この状態では止水エリアＲ１へ回動が可能になっている）では、着色面５６ａが操作ハンドル２０の内部から前方に進出して露出する。
【００７０】
したがって、操作ボタン５６が押され、移動規制が解除されたことを着色面が露出しているか否かで確認することができる。このように、操作ボタン５６の着色面５６ａは、操作ハンドル５０が止水エリアにあることを認知させる認知手段として機能する。
【００７１】
これにより、使用者は、操作ハンドル５０が止水エリアＲ１にあることを容易に認識することができる。また、認知手段である着色面５６ａを特別に設けることなく、解除操作部である操作ボタン５６と兼用することができ、簡単な構成にすることができる。
【００７２】
以上、本発明の好ましい実施形態を説明したが、上述した実施形態に種々の変更を加えることができる。特に、上述した第１、第２実施形態においては、本発明の水栓装置を洗面化粧台に適用していたが、台所用、浴室用の水栓装置等、任意の装置に本発明の水栓装置を適用することができる。
【００７３】
また、上述した本発明の第１実施形態においては、吐止水弁である水用電磁弁３０ａ及び湯用電磁弁３０ｂの下流側に流量調整弁である流調・温調バルブ２４が設けられていたが、流量調整弁の下流側に吐止水弁が接続された水栓装置に本発明を適用することもできる。
【００７４】
さらに、上述した第１実施形態では本発明が自動水栓に適用され、吐止水弁である水用電磁弁３０ａ及び湯用電磁弁３０ｂは、吐止水操作手段である人体検知センサ１６が使用者の手指等を検知したとき開弁されていた。しかしながら、使用者が手動で吐止水弁を操作する手動の水栓装置に本発明を適用することもできる。この場合には、使用者が吐止水弁を開閉操作するためのボタンや、レバー、ツマミ等が吐止水操作手段として機能する。
【００７５】
また、上述した第１実施形態では、流調操作部である操作ハンドル２０は回動可能に構成され、止水エリアＲ１と流量調整エリアＲ２は所定の角度範囲で分割されていたが、並進移動可能なツマミ等により流調操作部を構成することもできる。この場合には、止水エリアＲ１と流量調整エリアＲ２は所定の並進移動範囲で分割される。
【００７６】
さらに、上述した第２実施形態では、操作ハンドル５０が止水エリアにあることを認知させる認知手段が、操作ボタン５６に設けた着色面５６ａにより構成されていたが、他の構成により認知手段を構成することができる。例えば、流調操作部が止水エリアにある場合に点灯する警告用のランプや、音又は音声を発するスピーカにより認知手段を構成することもできる。
【００７７】
また、上述した第１実施形態では、操作ハンドル２０が一時停止位置に位置する状態では、操作規制機構４０のストッパー４６とストッパー受け３８の突起部３８ｂが当接し、操作ハンドル２０を止水エリアＲ１に回動させることができない状態にされていた。しかしながら、他の構成により流調操作部を一時停止させても良い。例えば、流調操作部を止水エリアＲ１から流量調整エリアＲ２に移動又は回動させるとき、非常に大きな操作力が必要となるように操作規制機構を構成しておき、これにより流調操作部を一時停止させることもできる。
【符号の説明】
【００７８】
１        洗面化粧台
２        ボウル
４        水栓装置
６        下部キャビネット
８        上部キャビネット
１０        壁面
１２        棚部
１４        吐水部（水栓装置本体）
１６        人体検知センサ（吐止水操作手段）
２０        操作ハンドル（流調操作部）
２２        吐水口
２４        流調・温調バルブ（流量調整弁）
２６ａ      給水管
２６ｂ      給湯管
２８ａ      止水栓
２８ｂ      止水栓
３０ａ      水用電磁弁（吐止水弁）
３０ｂ      湯用電磁弁（吐止水弁）
３２        コントローラー
３４        バルブケース
３６        バルブレバー
３８        ストッパー受け
３８ａ      リング状部分
３８ｂ      突起部
４０        操作規制機構
４２        基部
４４        押圧部（解除操作部）
４６        ストッパー
５０        操作ハンドル
５２        操作規制機構
５３        基部
５４        移動部材
５６        操作ボタン（解除操作部）
５６ａ      着色面（認知手段）
【図１】
2018111997.tif 000003
【図２】
2018111997.tif 000004
【図３】
2018111997.tif 000005
【図４】
2018111997.tif 000006
【図５】
2018111997.tif 000007
【図６】
2018111997.tif 000008